(57)【要約】  ハウジングと、可動に装着された機能要素と、ハウジングに固設されており、機能要素をハウジングに本質的に係止する固定要素と、固定要素によって支持されている軸部とを有し、機能要素は、軸部の周りを運動するように配設されている、口腔衛生用具が記載される。更に、口腔衛生用具軸部を含み、固定要素は、機能要素中に設けられた切欠又は凹部を通って延在しており、任意で、凹部の切欠は、軸部の長手延在方向に沿って機能要素をハウジングから引き抜くことが抑制されるように、機能要素のキャリア要素中に設けられている、口腔衛生デバイスが記載される。
2013535308.tif 000002
【特許請求の範囲】
【請求項１】
口腔衛生用具であって、
ハウジングと、
可動に装着された機能要素と、
前記ハウジングに固設されており、前記機能要素を前記ハウジングに本質的に係止する固定要素と、
前記固定要素によって支持されている軸部と、
を備え、
前記機能要素は、前記軸部の周りを運動するように配設されており、
前記固定要素は、前記機能要素中に設けられた切欠又は凹部を通って延在しており、
任意で、前記切欠又は前記凹部は、前記軸部の長手延在方向に沿って前記機能要素を前記ハウジングから引き抜くことが抑制されるように、前記機能要素のキャリア要素中に設けられている、口腔衛生用具。
【請求項２】
前記軸部は、前記キャリア要素に設けられた２つの位置で支持されており、
任意で、前記２つの位置は、前記固定要素の両側に配置されている、請求項１に記載の口腔衛生用具。
【請求項３】
前記固定要素及び前記ハウジングは、取り外し不可能に接続されており、
任意で、取り外し不可能に相互にスナップ留めされている、請求項１又は請求項２に記載の口腔衛生用具。
【請求項４】
シャフト要素が、前記機能要素と連結されており、
前記シャフト要素は、作動中、前記機能要素を前記軸部の周りの運動へ駆動するように配設されている、請求項１〜３のいずれか一項に記載の口腔衛生用具。
【請求項５】
前記シャフト要素は、中立位置において、前記軸部を通り当該口腔衛生用具の長手方向延在軸に対して垂直である平面内に連結位置が位置するように、前記機能要素と偏心して連結されている、請求項４に記載の口腔衛生用具。
【請求項６】
前記固定要素は、前記固定要素が前記ハウジングに固設される位置と、前記軸部が前記固定要素で支持される位置と、の間で少なくとも部分的に湾曲されている、請求項１〜５のいずれか一項に記載の口腔衛生用具。
【請求項７】
バネ要素が、前記キャリア要素と前記固定要素との間に配設されており、
任意で、前記バネ要素は、前記機能要素が表面に押圧されるとき、作動中に前記機能要素上に適用されるであろう負荷の方向と本質的に一致する方向に、前記キャリア要素を付勢する、請求項１〜６のいずれか一項に記載の口腔衛生用具。
【請求項８】
前記バネ要素は、前記固定要素の一体的な部分である、請求項７に記載の口腔衛生用具。
【請求項９】
前記機能要素の一部分は、前記ハウジング中に設けられた開口部を通って延在しており、
前記延在する部分は、前記機能要素の主要な機能部分と異なっており、
任意で、前記延在する部分は、前記主要な機能部分と反対側に配置されている、請求項１〜８のいずれか一項に記載の口腔衛生用具。
【請求項１０】
前記ハウジングは、前記固定要素が固設される内部肥厚部分を有している、請求項１〜９のいずれか一項に記載の口腔衛生用具。
【請求項１１】
当該口腔衛生用具は、口腔衛生デバイスとして認識され、任意で、作動中に前記機能要素を前記軸部の周りの運動へ駆動させるように配設された駆動ユニットを備える電動口腔衛生デバイスとして認識される、請求項１〜１０のいずれか一項に記載の口腔衛生用具。
【請求項１２】
当該口腔衛生用具は、電動歯ブラシ用の取り外し可能なブラシ等の取り外し可能な口腔衛生取り付け具として認識される、請求項１〜１１のいずれか一項に記載の口腔衛生用具。
【請求項１３】
ハンドルと、前記ハンドルに取り外し可能に取り付けられた、請求項１〜１０のいずれか一項に記載の口腔衛生用具と、を備えた、口腔衛生デバイス。
【発明の詳細な説明】
【技術分野】
【０００１】
本発明は、口腔衛生用具及び口腔衛生デバイスに関する。具体的には、固定要素によってハウジングに係止される、可動に装着された機能要素を有する口腔衛生用具に関する。
【背景技術】
【０００２】
固定要素を使用して、可動に装着された機能要素を口腔衛生用具のハウジングに係止することは、既知である。例えば、交換可能な歯ブラシリフィルの場合、可動に装着されたブラシヘッドは、係止ピンを用いて、リフィルのハウジングに係止されてもよい。係止ピンは、機能要素中の凹部に延在し、したがって、少なくともハウジング又は機能要素への修理不可能な損傷を伴うことなく、機能要素がハウジングから容易に分離されることを阻止する。
【発明の概要】
【発明が解決しようとする課題】
【０００３】
先行技術よりも優れた係止機能を有するか、又は既知の係止概念への代替案を少なくとも提供する、口腔衛生用具を提供することが望ましい。
【課題を解決するための手段】
【０００４】
いくつかの実施形態において、ハウジングと、可動に装着された機能要素と、ハウジングに固設されており、機能要素をハウジングに本質的に係止する固定要素と、固定要素によって支持されている軸部とを有する口腔衛生用具が提供され、機能要素は軸部の周りを運動するように配設されており、固定要素は機能要素中に設けられた切欠又は凹部を通って延在しており、任意で、凹部の切欠は、軸部の長手延在方向に沿って機能要素をハウジングから引き抜くことが抑制されるように、機能要素のキャリア要素中に設けられている。
【０００５】
いくつかの実施形態において、ハンドルと、ハンドルに取り外し可能に取り付けられた提案される口腔衛生用具とを備えた、口腔衛生デバイスが提供される。
【図面の簡単な説明】
【０００６】
本開示は、実施形態例の詳述及び図面の参照によって、更に解明される。図中、
【図１】口腔衛生用具を備える例示的な口腔衛生デバイスの斜視描写。
【図２】本開示の少なくともある態様に従う、例示的な口腔衛生用具の描写。
【図３】口腔衛生用具のヘッド部を通る、口腔衛生用具の長手方向延在軸に対して垂直の平面で切断した断面図であり、ここでは、可動に装着された機能要素のキャリア要素中に提供される装着穴に配設することができる洗浄要素を伴わずに示される。
【図４Ａ】口腔衛生用具のある例示的な実施形態のヘッド部を切断した横方向の断面図。
【図４Ｂ】口腔衛生用具の別の例示的な実施形態のヘッド部を切断した横方向の断面図。
【図５Ａ】シャフト要素が中立位置又は静止位置にある、口腔衛生用具の更に別の例示的な実施形態のヘッド部を切断した横方向の断面図。
【図５Ｂ】図５Ａに示されるが、シャフト要素が最大限に湾曲した位置にある、口腔衛生用具のヘッド部を切断した横方向の断面図。
【図６】口腔衛生用具の更なる例示的な実施形態の部分的切り開かれた描写。
【発明を実施するための形態】
【０００７】
本開示において、口腔衛生用具への修理不可能な損傷を被る状態で機能要素をハウジングから分離することができないように、ハウジングに対して可動に装着された機能要素を係止するための固定要素を備える、口腔衛生用具が提案される。この係止機能を得るために、固定要素は、機能要素中に設けられた凹部又は切欠（例えば、通り穴）を通って延在しており、具体的には、凹部又は切欠は、機能要素のキャリア要素中に設けられてもよい。特定の実施形態において、固定要素は、機能要素の回転軸が固定要素を通って延在するように配設されており、具体的には、回転軸に沿って延在する軸部は、固定要素によって支えられており、少なくとも回転軸の周りの軸部の回転を可能にするように、軸部は固定要素にしっかりと固設されてもよいか、又は軸部は固定要素によって浮動的に支持されてもよい。いくつかの実施形態において、固定要素は、ハウジングの少なくとも２つの異なる位置に固設されており、任意で、これらの位置が、ハウジングの本質的に反対側に配設されている。いくつかの実施形態において、固定要素は、口腔衛生用具のハウジングに取り外し不可能に固設されている。いくつかの実施形態において、固定要素は、湾曲される様式で、２つの装着位置の間に延在する。いくつかの実施形態において、固定要素は、口腔衛生用具のハウジングの内部肥厚部分に固設されている。
【０００８】
図１は、口腔衛生デバイス１の例示的な実施形態の斜視描写である。口腔衛生デバイス１は、電動歯ブラシとして認識されてもよい。口腔衛生デバイスは、口腔衛生用具１０とハンドル２０とを備える。口腔衛生用具１０は、電動歯ブラシのブラシ部として認識されてもよい。口腔衛生用具１０は、具体的には、例えば、口腔衛生用具１０が損耗したとき、又は異なる口腔衛生処置が行われるべきである場合に、他の口腔衛生用具との容易な交換のための取り外し可能な取り付け具として認識されてもよい。口腔衛生用具１０は、口腔衛生用具１０のハウジング２９０に可動に装着された機能要素２００を有する。機能要素２００は、ここでは、歯の洗浄及び／又は歯肉のマッサージ用の洗浄要素を有するブラシヘッドとして認識される。
【０００９】
図２は、本開示の少なくとも１つの態様に従う、口腔衛生用具１０の例示的な実施形態の描写である。口腔衛生用具１０は、取り外し可能な取り付け具として認識されてもよい。口腔衛生用具１０は、可動に装着された機能要素２００を有しており、歯の洗浄及び／又は歯肉のマッサージ用の洗浄要素２８０を有するブラシヘッドとして認識されてもよい。口腔衛生用具１０のハウジング２９０は、細長く、ヘッド領域に向かってわずかに先細になる本質的に管状の形態を有してもよい。口腔衛生用具１０は、概して、不快感を低レベルに保ちながら口腔内へ挿入することができるように、かつ臼歯等の歯の洗浄を可能にするように構造化されてもよい。口腔衛生用具１０は、長手方向延在軸Ｌを有してもよく、機能要素２００は、長手方向延在軸Ｌに対して本質的に垂直であってもよい回転軸Ｒ（図３に示される）の周りの回転又は振動回転のために装着されてもよい（ただし、このことは、本開示の少なくとも１つの態様に従う、口腔衛生用具の可能な実施形態を制限するものとして解釈されるべきではない）。
【００１０】
図３は、口腔衛生用具の例示的な実施形態のヘッド領域を切断した断面図であり、この切断した断面図は、回転軸Ｒが切断平面にあると解釈される。機能要素２００Ａは、ここでは、例えば、図２に示されるように、可視化の簡略化のために、洗浄要素を伴わずに示される。機能要素２００Ａは、それが回転軸Ｒの周りを回転するか、又は振動することができるように、口腔衛生用具のハウジング２９０Ａに可動に装着される。機能要素２００Ａは、キャリア要素２１０Ａを備える。
【００１１】
キャリア要素２１０Ａは、切欠（例えば、通り穴）又は凹部２１６Ａを有し、回転軸Ｒはそれを通って延在し、固定要素２３０Ａはそれを通って延在する。固定要素２３０Ａは、穴２３１Ａを有し、その中で、回転軸Ｒに沿って延在する軸部２４０Ａが支持されている。一実施形態において、軸部２４０Ａが、穴２３１Ａ中に圧入されてもよい。固定要素２３０Ａは、細長くてもよく、切欠又は凹部２１６Ａを通って、回転軸Ｒに対して本質的に垂直の方向に延在してもよい。細長い延在方向に相互に向かい合って位置してもよい固定要素２３０Ａの２つの端部２３５Ａ及び２３６Ａは、口腔衛生用具のハウジング２９０Ａ中の対応する切欠２９１Ａ及び２９２Ａにスナップ留めされるスナップノーズとして認識されてもよい。スナップ接続は、取り外し不可能であるとして認識されてもよく、すなわち、装着された固定要素２３０Ａは、その結果、口腔衛生用具へのいかなる不可逆的損傷も伴わずに、口腔衛生用具から分離することが本質的に不可能である（すなわち、ハウジング２９０Ａ、固定要素２３０Ａ、又は機能要素２００Ａのうちの少なくとも１つが、不可逆的損傷を被る）。固定要素２３０Ａのスナップノーズは、ハウジング２９０Ａ中に設けられた切欠２９１Ａ及び２９２Ａ中に延在する９０度のアンダーカットを有してもよく、したがって、装着時、固定要素２３０Ａがハウジング２９０Ａから容易に分離され得ることを回避する。別の実施形態において、固定要素が、例えば、ハウジングに接着されてもよく、ハウジングにねじ止めされてもよく、ハウジングに溶接されてもよく、すなわち、固定要素が、ハウジングにしっかりと固設されてもよい。別の実施形態において、固定要素は、ハウジングに取り外し可能に固設されてもよく、ハウジングから固定要素を取り外す閾値力が非常に高く選択されるため、口腔衛生用具を習慣的に使用する間、そのような力の度合いが生じない。
【００１２】
キャリア要素２１０Ａは、前方キャリア要素２１１Ａを有してもよく、その中に、洗浄要素を装着するための装着穴２８１Ａが設けられてもよい。洗浄要素は、房固定技術（anchor tufting technology）によって装着され得る剛毛の房として認識されてもよい。他の実施形態において、洗浄要素は、例えば、軟質エラストマー要素として、可動に装着されたプラスチック要素等として、又は異なる洗浄要素の混合物として認識されてもよい。別の実施形態において、キャリア要素は、いかなる装着穴をも設けられなくてもよいが、キャリア要素は、舌洗浄構造体等の洗浄構造体が設けられてもよい。
【００１３】
キャリア要素２１０Ａは、後方キャリア要素２１９Ａを更に有する。前方キャリア要素２１１Ａ及び後方キャリア要素２１９Ａは、コネクターキャリア要素２１５Ａを介して接続される。前方キャリア要素２１１Ａ、コネクターキャリア要素２１５Ａ、及び後方キャリア要素２１９Ａは、他の実施形態において除外されるべきではないプラスチック射出成形要素等の不可欠な要素として認識されてもよく、キャリア要素２１０Ａの３つの部品のうちの少なくとも２つは、例えば、共に取り外し不可能にスナップ留めされるか、又は共にねじ止めされるか、又は共に接着される。回転軸Ｒの方向から見ると、前方キャリア要素２１１Ａ及び後方キャリア要素２１９Ａは、回転軸Ｒが前方キャリア要素２１１Ａ及び後方キャリア要素２１９Ａを通って延在するように配設されており、一方で、コネクターキャリア要素２１５Ａは、回転軸Ｒがキャリア要素２１０Ａ中に設けられた切欠又は凹部２１６Ａを通って延在し、コネクターキャリア要素２１５Ａと交差しないように配設されている。固定要素２３０Ａは、回転軸Ｒが固定要素２３０Ａを通って延在するように、切欠又は凹部２１６Ａを通って延在する。
【００１４】
前方キャリア要素２１１Ａは、盲穴２１２Ａを有し、後方キャリア２１９Ａは、穴２１８Ａを有し、双方ともに、回転軸Ｒに沿って延在し、双方ともに軸部２４０Ａを収容する。軸部２４０Ａが固定要素２３０Ａ中の穴２３１Ａに圧入され、かつそのように固定される上述の実施形態において、軸部２４０Ａは、盲穴２１２Ａ及び穴２１８Ａ中で緩く支えられてもよい（すなわち、盲穴２１２Ａ及び穴２１８Ａは、軸部２４０Ａの浮動的な軸受けを形成する）。ハウジング２９０Ａは、回転軸Ｒに沿って延在し、かつ軸部２４０Ａを収容する盲穴２９３Ａを有してもよい。軸部２４０Ａは、盲穴２９３Ａ中に圧入されてもよい。別の実施形態において、軸部２４０Ａは、キャリア要素２１０Ａにしっかりと固設されてもよく、例えば、軸部２４０Ａは、その結果、盲穴２１２Ａ及び穴２１８Ａ中に圧入されてもよく、盲穴２９３Ａ及び穴２３１Ａ中で緩く支えられてもよい。
【００１５】
図３に示される例示的な実施形態に関して記載される特徴のうちの少なくとも１つ以上によって、以下の態様のうちの少なくとも１つが達成される。軸部２４０Ａは、キャリア要素２１０Ａの２つの位置で支持（いくつかの実施形態において、枢動装着）されてもよく、その位置は、相互間に比較的大きな距離を有する。具体的には、２つの位置は、固定要素に対して相互に向かい合って配設される。このことは、軸部が単一の位置でのみ支えられる実施形態と比較して、キャリア要素２１０Ａが、作動中に（すなわち、キャリア要素２１０Ａが、回転軸Ｒの周りを回転又は振動するとき）経験し得る揺動の軽減をもたらす可能性が高い。このことは、機能要素が駆動されて、高回転速度又は高周波運動（例えば、振動周波数が、８０Ｈｚ超、９０Ｈｚ超、１００Ｈｚ超、１１０Ｈｚ超、１２０Ｈｚ超、１３０Ｈｚ超、１４０Ｈｚ超、１５０Ｈｚ超等）になるときに、特に関連を持つようになる。キャリア要素２１０Ａをハウジング２９０Ａから分離するために、力Ｆ１が回転軸Ｒの方向でキャリア要素２１０Ａに印加される場合、固定要素２３０Ａは、ハウジング２９０Ａに対してキャリア要素２１０Ａを係止する。固定要素を、具体的には、２つの反対側の位置でハウジング２９０Ａに取り外し不可能に固定することができるため、典型的な口腔衛生の作動中、キャリア要素２１０Ａに典型的に印加されない強い力のみが、分離をもたらすることができる可能性が非常に高い。
【００１６】
図３に示される実施形態において、バネ要素２５０Ａは、固定要素２３０Ａと後方キャリア要素２１９Ａとの間に配設されており、したがって、キャリア要素２１０Ａをハウジング２９０Ａに対して付勢する。付勢されていないキャリア要素が、浮動的な軸受け中で回転軸に沿って上下移動する傾向があるため、そのような付勢は、機能要素が運動へ駆動されたときに、カタカタ又はガタガタという不快音を軽減する可能性が高い。示される例示的な実施形態において、バネ要素２５０Ａは、キャリア要素２１０Ａをハウジング２９０Ａの後方に向かって付勢する。作動中、機能要素２１０Ａを、処理される表面、例えば、歯の表面に対して押圧することによってキャリア要素２１０Ａに印加される任意の追加の力Ｆ２は、同一の方向に作動し、それによって、作動中、ガタガタという不快音をもたらし得る、付勢するバネの力と印加された力Ｆ２との互いの打ち消し合いが回避される。バネ要素２５０Ａは、固定要素２３０Ａの一体的な部分として認識されてもよい。いくつかの実施形態において、バネ要素、例えば板バネは、追加の要素として認識されてもよく、そのバネは、固定要素と後方キャリア要素との間に配設されてもよい。いくつかの実施形態において、固定要素又は後方キャリア要素は、バネのたわみを制限し、したがって、バネ要素の酷使を回避するために、輪止め要素を備えてもよく、バネ要素が固定要素の一体的な部分として認識されるとき、特に、固定要素がプラスチック部品として認識される実施形態において、特に関連性があり得る。
【００１７】
いくつかの実施形態において、ハウジング２９０Ａ、固定要素２３０Ａ、及びキャリア要素２１０Ａは、任意の好適なプラスチック（例えば、ポリプロピレン、ポリオキシメチレン等）で作製されてもよく、軸部２４０Ａは、スチール等の金属で作製されてもよい。そのような実施形態において、金属の軸受け筒は、軸部が浮動的に支持される位置の磨耗を回避するために、盲穴２１２Ａ及び穴２１８Ａ（又は穴２３１Ａ及び盲穴２９３Ａ）のうちの少なくとも１つにおいて、しっかりと固設されてもよい。
【００１８】
図４Ａは、本開示の少なくとも１つの態様に従う、口腔ケア用具の更なる例示的な実施形態のヘッド領域を切断した断面図を示す。切断平面は、回転軸に対して垂直に配置される、すなわち、軸部２４０Ｂの延在方向に対して垂直である。口腔ケア用具のハウジング２９０Ｂは、本質的に中空であり、押し棒として認識され得るシャフト要素３００Ｂを収容し、シャフト要素３００Ｂは、キャリア要素２１０Ｂ中に設けられた細長い穴２１４Ｂ中に延在する枢動ピン３０１Ｂを用いて、キャリア要素２１０Ｂに取り付けられる。細長い穴２１４Ｂは、キャリア要素２１０Ｂ中の軸部２４０Ｂに対して、偏心して設けられる。シャフト要素３００Ｂは、口腔衛生デバイスのハウジング中に設けられたドライブに連結されてもよく、ドライブは、約±０．１ｍｍ〜約±１．０ｍｍの範囲であり得るピーク振幅値を有する両矢印Ｍによって示されるように、シャフト要素３００Ｂを、長手方向延在軸Ｌに沿って直線的に振動させてもよい。シャフト要素３００Ｂが、長手方向延在軸Ｌに沿って上下移動されるとき、枢動ピン３０１Ｂは、軸部２４０Ｂによって画定される回転軸の周りのキャリア要素２１０Ｂの振動回転を引き起こす。シャフト要素３００Ｂが、それが上下移動したときに曲げられないように、枢動ピン３０１Ｂは、細長い穴２１４Ｂ中で自由に回転可能であり、かつ細長い穴２１４Ｂ中で横方向（すなわち、横軸Ｈに対して平行方向）に移動可能である。
【００１９】
固定要素２３０Ｂは、２つの反対側に位置する位置でハウジング２９０Ｂに固設される。固定要素２３０Ｂは、軸部２９０Ｂを支持する。固定要素２３０Ｂは、方向Ｌ１に沿って本質的に直線的に延在しており、直線の延在方向Ｌに対して角度γだけ角度付けされている。角度γがより小さくなる場合、固定要素２３０Ｂを、示されるような同一の様式で、ハウジング２９０Ｂに固設することはできない。
【００２０】
シャフト要素３００Ｂは、その中立（又は中心）位置に示されており、その周りを振動する。長手延在方向Ｌに対する固定要素２３０Ｂの傾斜のため、枢動ピン３０１Ｂの中立位置は、ここでは、水平面Ｈに対して、角度δだけ傾斜される。水平面Ｈは、長手延在方向Ｌに対して垂直であり、軸部２９０Ｂを通って延在する。シャフト要素３００Ｂが、長手方向延在軸Ｌに沿って直線的に振動されるとき、これは、±αの振動角をもたらす。枢動ピン３０１Ｂの中立位置が、水平面Ｈから角度のついた状態でオフセットされるため、枢動ピン３０１Ｂを介してキャリア要素２１０Ｂに作用する力は、中立位置に対して左右対称ではない。
【００２１】
図４Ｂは、口腔衛生用具の別の例示的な実施形態を切断した断面図を示す。ここでは、ハウジング２９０Ｃは、内部に延在する肥厚部分２９５Ｃを有している。固定要素２３０Ｃは、ハウジング２９０Ｃの２つの反対側の位置に固設されており、固定要素２３０Ｃは、軸部２４０Ｃを支持する。固定要素２３０Ｃは、内部に延在する肥厚部分２９５Ｃに固設されており、固定要素２３０Ｃの延在方向Ｌ２と長手延在方向Ｌとの間により小さなオフセット角φを可能にする。このより小さな角度のオフセットのため、枢動ピン２９０Ｃの中立位置は、長手延在方向Ｌに対して垂直であり、かつ軸部２９０Ｃを通って延在する水平面Ｈに位置し得る。両矢印Ｍによって示されるように、シャフト要素３００Ｃが、長手延在方向に沿って直線的に振動されるときに、振動角±βが達成され得るが、そこでキャリア要素２１０Ｃに印加される力は、枢動ピン３０１Ｃの中立位置の周りで左右対称である可能性がより高い。
【００２２】
図５Ａは、本開示に従う、口腔衛生用具の例示的な実施形態を切断した更なる断面図を示す。ここでは、固定要素２３０Ｄは、固定要素２３０Ｄの中心で支持される軸部２９０Ｄに対して反対側の２つの位置でハウジングに固設されている。図４Ｂの実施形態に関しても示されたように、ハウジング２９０Ｄは、内部に延在する部分２９５Ｄを有しており、そこで、固定要素２３０Ｄは、固定要素２３０Ｄの一般的な延在方向Ｌ３と口腔衛生用具の長手延在方向Ｌとの間の小さな角度のオフセットを略可能にするように支持されている（延在方向Ｌ３は、２つの装着位置によって画定される）。示される実施形態において、固定要素２３０Ｄは、２つの装着位置の間を結ぶ線Ｌ３に沿って延在しない。代わりに、正の角度方向に（すなわち、最大振動角＋θに向かって）移動するとき、固定要素２３０Ｄは、枢動ピン３０１Ｄが接近する方向に対して凹状であるような様式で湾曲されている。このことは、図４Ｂに示される例示的な実施形態において見られるように、より大きな最大振動角を可能にする。固定要素２３０Ｄの有効な延在方向は、Ｌ３’によって示される。図５Ａに示されるように、固定要素２３０Ｄは、軸部２９０Ｄによって画定される中心軸に対して左右対称に湾曲されてもよい。ここで、湾曲されるとは、固定要素２３０Ｄの段のあるデザインを含む。図４Ｂに示される実施形態において見られるように、シャフト要素３００Ｄの枢動ピン３０１Ｄは、中立位置にあるとき、水平面Ｈの口腔衛生用具の機能要素のキャリア２１０Ｄに連結される。
【００２３】
図５Ｂは、図５Ａに示される口腔衛生用具を切断した断面図であるが、枢動ピン３０１Ｄは、それが最大限に湾曲した位置にある。固定要素２３０Ｄの湾曲が実現されるため、最大限に湾曲した位置は、図４Ｂに示される実施形態における振動角よりも大きいキャリア要素２１０Ｄの振動角を可能にする。
【００２４】
図６は、口腔衛生用具の部分的に切り開かれた更なる実施形態である。本実施形態において、機能要素２００Ｅのキャリア要素２１０Ｅは、口腔衛生用具のハウジング２９０Ｅ中の開口部２９４Ｅを通って延在する部分２２０Ｅを有する。延在する部分２２０Ｅは、後方キャリア要素２１９Ｅの一体的な部分として認識されてもよい。延在する部分２２０Ｅの外側表面は、ハウジング２９０Ｅの外側表面と平滑に接合されてもよい。したがって、延在する部分２２０Ｅは、機能要素２００Ｅをハウジング２９０Ｅに装着するための装着構造体としての役割を果たしてもよく、ハウジング２９０Ｅ及び延在する部分２２０Ｅは、例えば、異なる色を有する場合、より審美的な機能を追加する役割を更に果たしてもよい。そのような実施形態において、軸部２４０Ｅは、キャリア要素２１０Ｅ中に圧入されてもよく、固定要素２３０Ｅによって浮動的に支えられてもよい。
【００２５】
異なる実施形態の他の特徴と組み合わせて記載された様々な特徴は、本開示の趣旨及び範囲に矛盾しない限り、全ての他の特徴との全ての可能な組み合わせにおいて開示されると見なされるべき個別の特徴として開示されることが意図されていることに留意されたい。
【００２６】
本明細書に開示した寸法及び値は、記載された正確な数値に厳密に限定されるものとして理解されるべきでない。むしろ、特に断らないかぎり、そのようなそれぞれの寸法は、記載された値及びその値周辺の機能的に同等の範囲の両方を意味するものとする。例えば、「４０ｍｍ」として開示された寸法は、「約４０ｍｍ」を意味することを意図する。
【００２７】
いかなる相互参照又は関連する特許出願をも含む、本明細書において引用される全ての文書は、明示的に除外ないしは別の方法で限定されない限り、その全体が本参照により本明細書に組み込まれる。いかなる文書の引用も、本明細書において開示又は請求されるいかなる発明に対する先行技術であるということも、あるいはそれ単独で又はいずれかの他の参照文献（複数可）と組み合わせて、いずれのそのような発明を教示、示唆、又は開示することも、容認するものではない。更に、本文書における用語のいずれかの意味又は定義が、参照により本明細書に組み込まれる文書における同一の用語のいずれかの意味又は定義と対立する限りにおいて、本文書における用語に割り当てられる意味又は定義が優先されるものとする。
【００２８】
本発明の特定の実施形態が例示され記載されてきたが、本発明の趣旨及び範囲から逸脱することなく、様々な他の変更及び修正がなされ得るということが、当業者には明白となるだろう。そのため、本発明の範囲内のそのような全ての変更及び修正は、添付の特許請求の範囲に包含されるということが意図される。
【図１】
2013535308.tif 000003
【図２】
2013535308.tif 000004
【図３】
2013535308.tif 000005
【図４Ａ】
2013535308.tif 000006
【図４Ｂ】
2013535308.tif 000007
【図５Ａ】
2013535308.tif 000008
【図５Ｂ】
2013535308.tif 000009
【図６】
2013535308.tif 000010
【国際調査報告】
2013535308.tif 000011
2013535308.tif 000012